(57)【要約】【課題】  剛性があるだけでなく、弾性があって復元力もある柔軟性を具備し、高い耐震性を備える剛柔構造からなる新規な軸組み壁構造及びこの壁構造用のパネルを提供するものである。【解決手段】  土台又は梁１と、これら土台又は梁１上に起立した少なくとも２本の柱２，２と、柱２の上端間に架設した上部梁３と、これら土台又は梁１、２本の柱２，２及び上部梁３とによって囲まれた空間内に配置した壁パネル５とからなり、柱２と壁パネル５との間に込栓６を打ち込んで結合してなるものである。【選択図】    図１
2007046335.tif 000002
【特許請求の範囲】
【請求項１】
土台又は梁と、これら土台また梁上に起立した少なくとも２本の柱と、柱の上端間に架設した上部梁と、これら土台又は梁、２本の柱及び上部梁とによって囲まれた空間内に配置した壁パネルとからなり、柱と壁パネルとの間に込栓を打ち込んで結合してなる軸組み壁構造。
【請求項２】
上記込栓を柱の垂直面に対して斜めに打ち込んである上記請求項１に記載の軸組み壁構造。
【請求項３】
上記梁と壁パネル間に込栓を打ち込んである上記請求項１又は２に記載の軸組み壁構造。
【請求項４】
上記請求項３に記載の軸組み壁構造であって、梁と壁パネル間に打ち込んだ込栓を水平面に対して斜めにしてある上記請求項３に記載の軸組み壁構造。
【請求項５】
柱と壁と土台間に垂直面に対して斜めに込栓を打ち込んである上記請求項１乃至４の何れかに記載の軸組み壁構造。
【請求項６】
壁の中心位置に核抜き孔を形成してある上記請求項１乃至５の何れかに記載の軸組み壁構造。
【請求項７】
壁の中心位置に核抜き孔を形成してある上記請求項１乃至６の何れかに記載の軸組み壁構造用のパネル。
【請求項８】
多数の角材を平行に並べて集合したパネルを構成し、各角材のその長手方向に直交して連通する込栓打ち込み用孔を穿設し、この込栓打ち込み用孔に込栓を打ち込んで一体化してなる上記請求項１乃至５の何れかに記載の軸組み壁構造用のパネル。
【請求項９】
中心位置に核抜き孔を形成してある上記請求項８に記載の軸組み壁構造用のパネル。
【請求項１０】
上記請求項８及び９に記載の軸組み壁構造用のパネルに使用する込栓であって、円柱体の相反する両側部分を僅かに切除した形状にしてある込栓。
【発明の詳細な説明】
【技術分野】
【０００１】
本発明は、土台又は梁と、この土台又は梁上に起立する少なくとも２本の柱と、上記柱間に架設した上部梁と、これら土台又は梁と柱と上部梁とに囲まれた空間中に組み込まれる壁パネルとから構成される軸組み壁構造に関する。
【背景技術】
【０００２】
従来、土台又は梁と、この土台又は梁上に起立する２本の柱と、上記２本の柱間に架設した上部梁と、これら土台又は梁と柱と上部梁とに囲まれた空間中に壁パネルを組み込み構成した軸組み壁構造は知られている。
【発明の開示】
【発明が解決しようとする課題】
【０００３】
上記公知の軸組み壁構造は、壁パネルが柱に釘等により固着していたため、壁構造全体としては剛構造になっていた。そのため、大きい地震等により大きな外力を受けた際、柔軟性に欠け、特に土台又は梁と柱との接合部が破損するという課題があった。
本発明は、上記課題に鑑み、剛性があるだけでなく、弾性があって復元力もある柔軟性を具備し、高い耐震性を備える剛柔構造からなる新規な軸組み壁構造及びこの壁構造用のパネルを提供するものである。
【課題を解決するための手段】
【０００４】
そのため、本発明軸組み壁構造は、土台又は梁と、これら土台又は梁上に起立した少なくとも２本の柱と、柱の上端間に架設した上部梁と、これら土台又は梁、２本の柱及び上部梁とによって囲まれた空間内に配置した壁パネルとからなり、柱と壁パネルとの間に込栓を打ち込んで結合してなるものである。
本発明軸組み壁構造は、上記込栓を柱の垂直面に対して斜めに打ち込んであるものである。
【０００５】
また、本発明軸組み壁構造は、上記梁と壁パネル間に込栓を打ち込んである。
上記請求項３に記載の軸組み壁構造であって、梁と壁パネル間に打ち込んだ込栓を水平面に対して斜めにしてある。
さらに、本発明軸組み壁構造は、柱と壁と土台間に垂直面に対して斜めに込栓を打ち込んである。
特に、本発明軸組み壁構造は、壁の中心位置に核抜き孔を形成してあるものである。
【０００６】
本発明軸組み壁構造用のパネルは、壁の中心位置に核抜き孔を形成してある。
また、本発明軸組み壁構造用のパネルは、多数の角材を平行に並べて集合したパネルを構成し、各角材のその長手方向に直交して連通する込栓打ち込み用孔を穿設し、この込栓打ち込み用孔に込栓を打ち込んで一体化してなるものである。
そして、本発明軸組み壁構造用のパネルは、中心位置に核抜き孔を形成してある。
さらに、本発明軸組み壁構造用のパネル用の込栓は、上記請求項８及び９に記載の軸組み壁構造用のパネルに使用する込栓であって、円柱体の相反する両側部分を僅かに切除した形状にしてある。
【発明の効果】
【０００７】
本発明の軸組み壁構造は、土台又は梁と、これら土台また梁上に起立した少なくとも２本の柱と、柱の上端間に架設した上部梁と、これら土台又は梁、２本の柱及び上部梁とによって囲まれた空間内に配置した壁パネルとからなり、柱と壁パネルとの間に込栓を打ち込んで結合してなるものである。即ち、柱と壁の結合が込栓であるから、この結合構造に弾力性があり、ねばりを伴った復元力があり、剛柔構造になり、高い耐震性を発揮する効果がある。
また、本発明の軸組み壁構造は、上記込栓を柱の垂直面に対して斜めに打ち込んであるから、振動の方向性に拘らず、込栓に引張方向、圧縮方向の摩擦力が働き、ねばり強い剛柔構造になり、高い耐震性を発揮できる効果がある。
【０００８】
本発明の軸組み壁構造は、上記の如く、柱と壁の結合のみならず、上記梁と壁パネル間にも込栓を打ち込んであるから、振動の方向に無関係に弾力性があり、剛柔構造になり、高い耐震性を発揮できる。
また、本発明軸組み壁構造は、梁と壁パネル間に打ち込んだ込栓を水平面に対して斜めにしてあるから、振動の方向性に関係なく込栓に引張方向、圧縮方向の摩擦力が働き、ねばり強い剛柔構造になり、高い耐震性を発揮できる効果がある。
さらに、本発明軸組み壁構造は、柱と壁と土台間に垂直面に対して斜めに込栓を打ち込んであるから、基礎、土台部分も剛柔性を高め、高い耐震性を発揮する効果がある。
【０００９】
本発明軸組み壁構造は、壁の中心位置に核抜き孔を形成してあるから、壁自体の柔軟性を高め、これにより壁構造を剛柔構造として高い耐震性のある軸組み壁構造となし得た効果がある。
本発明軸組み壁構造用のパネルは、壁の中心位置に核抜き孔を形成してあるから、壁パネルの柔軟性を高め、これによって高い耐震性のある軸組み壁構造を提供できる効果がある。
【００１０】
本発明軸組み壁構造用のパネルは、多数の角材を平行に並べて集合したパネルを構成し、各角材のその長手方向に直交して連通する込栓打ち込み用孔を穿設し、この込栓打ち込み用孔に込栓を打ち込んで一体化してなるものである。従って、間伐材を有効に使用してパネルを構成し、特に各角材の長手方向に直交して連通する込栓打ち込み用の孔を穿設してあるから、多数の角材を集合した状態で込栓打ち込み用の孔を長いドリルを使用して穿設することもでき、一本一本の角材に各別に寸法を一致させて込栓打ち込み用の孔を穿設しておいて、多くの角材を集合することもできる利点がある。
本発明軸組み壁構造用のパネルは、中心位置に核抜き孔を形成してあるから、壁パネルの柔軟性を高め、これによって高い耐震性のある軸組み壁構造を提供できる効果がある。  さらに、請求項１０で請求する本発明込栓は、上記請求項８及び９に記載の軸組み壁構造用のパネルに使用する込栓であって、円柱体の相反する両側部分を僅かに切除した形状にしてあるから、各角材の込栓打ち込み用孔に打ち込む込栓の向きによって、角材の繊維方向に直交する力を加えず、込栓の打ち込みによって角材がはじけることを防止できる効果がある。
【発明を実施するための最良の形態】
【００１１】
図面に示した好ましい実施例により本発明の詳細を説明する。
図中１が土台又は梁で、これら土台又は梁１上に少なくとも２本の柱２，２を起立してあり、これら柱２，２の上端間に上部梁３を架設してある。そして、これら土台又は梁１、２本の柱２，２及び上部梁３によって囲まれた空間４内に壁パネル５を組み込んである。この壁パネル５の組み込みは、図２に示すように従前公知の組み込み手段であってもよい。
本発明では、柱２と壁パネル５とに柱側から複数の込栓６を打ち込んで、柱２と壁パネル５とを結合してある。
この込栓６の打ち込み方向は、柱２の垂直面に直交して打ち込んでもよいが、柱の垂直面に対して斜めに打ち込むことがより効果的である。
【００１２】
即ち、この柱２と壁パネル５の結合を込栓６にしたことにより、この込栓６の弾性で、釘打ち結合等の剛構造に比し、弾力性があり、ねばりを伴った復元力があり、壁構造として剛柔構造となり、高い耐震性を発揮する。
また、上記込栓６を柱２の垂直面に対して斜めに打ち込んであるものでは、振動の方向性に拘らず、込栓６に引張方向、圧縮方向の摩擦力が働き、よりねばり強い剛柔構造となり、高い耐震性を発揮できる。
【００１３】
さらに、図１に示すように上部梁３と壁パネル５との間でも上部梁３から壁パネル５に向けて込栓６を打ち込んであり、この込栓６も上部梁３の水平面に対して斜めに打ち込んであることが望ましい。
この上部梁３と壁パネル５との込栓６による結合で、これらの結合に弾力性をもたせ、ねばりの伴った復元力をもたせて、剛柔結合にした。
また、同じく図１に示すように、柱２と壁パネル５と土台又は梁１との間に柱２から壁パネル５と土台又は梁１との間に柱２から垂直面にたいして４５°に向けて込栓６を打ち込んであり、最も柔軟な結合が望まれる土台又は梁１と柱２と壁パネル５との間の結合を、ねばりを伴った復元力のある剛柔構造となし得たものである。
上記壁パネル５は一枚の無垢板により構成してあるが、一枚の無垢板は剛構造であり、もろい。そこで、図示してないが、この無垢板の中心にある核部分に孔を穿って核抜き孔を形成してあることがよい。この核抜き構造により壁パネルそのものの剛構造を剛柔構造にすることができる。
【００１４】
図３乃至図６には、本発明軸組み壁構造用のパネルにして好都合の多数の角材を集合したパネルを示してある。この多数の角材は間伐材を使うことができて好都合である。図中７が角材で、多数の角材７を平行に並べて集合してある。図５に示すように、夫々の角材７に凹凸部を形成し、これをかみ合わせて集合させると結合がより強固になり好都合である。この壁パネル５は、各角材７を貫通する込栓６により結合してある。そして、この壁パネル５には各角材７の長手方向に直交して連通する込栓打ち込み用の孔を穿設してあり、この込栓打ち込み用孔に込栓６を角材に直交して打ち込んで結合してある。
【００１５】
この角材７の長手方向に直交して連通する込栓打ち込み用孔を穿設したことは、多数の角材７を集合した状態で、込栓打ち込み用孔を長いドリルを使って一度に穿設することもでき、一本一本の角材７に各別に寸法を一致させて込栓打ち込み用の孔を穿設しておいて、多くの角材を集合し、その後に込栓を打ち込むこともできる。
この図３乃至図６に示した壁パネル５にも核抜き孔８を穿設してあり、図３に示した実施例では、その形状を菱型形状に、図６に示した実施例では十字型形状にしてあり、この形状は円形形状でも楕円形状でもよい。要はパネルの核の部分を抜いてあればよい。
【００１６】
図７に請求項１０で請求する込栓６は、円柱体の相反する両側部分９，９を僅かに切除した形状にある。これによって角材７の込栓打ち込み用孔１０に打ち込む込栓６の向きによって、即ち、角材７の繊維方向と同じ方向に上記切除した両側部分９，９を位置付ければ、込栓打ち込みの際に角材７の繊維方向によってはじける方向に直交する力を加えず、込栓６による結合を強固なものとすることができる。
【図面の簡単な説明】
【００１７】
【図１】本発明軸組み壁構造の正面図。
【図２】図１のＡ−Ａ線に沿う断面図。
【図３】壁パネルの一例を示す正面図。
【図４】図３図示の壁パネルの側面図。
【図５】壁パネルの一例の平面図。
【図６】核抜き孔の形状を別にした壁パネルの正面図。
【図７】込栓を示す斜視。
【符号の説明】
【００１８】
１  土台又は梁
２  柱
３  上部梁
４  空間
５  壁パネル
６  込栓
７  角材
８  核抜き孔
９  両側部分
１０  込栓打ち込み用孔
【図１】
2007046335.tif 000003
【図２】
2007046335.tif 000004
【図３】
2007046335.tif 000005
【図４】
2007046335.tif 000006
【図５】
2007046335.tif 000007
【図６】
2007046335.tif 000008
【図７】
2007046335.tif 000009